(57)【要約】【課題】    電子ペンを操作してドットパターンが印刷された用紙上に記入した内容を、電子ドキュメントに種々の形態で反映させる。【解決手段】  電子ドキュメントを印刷した面および該面とは異なる面に、複数のドットを格子状位置からそれぞれ微少量だけずらして形成したそれぞれ異なるドットパターンを割り当て、割り当てたドットパターンを格子状に印刷した用紙１０２と、筆記機能と撮影機能を有し、撮影した前記ドットパターンの配列状態をもとに自身の位置情報を、割り当てられた各ドットパターンが印刷された用紙毎に取得する電子ペン１０１と、前記位置情報もとに電子ペンで記入された記入内容を取得し、取得した記入内容を前記電子ドキュメントに反映させるドキュメント管理計算機１０７を備えた。【選択図】  図１
2006127396.tif 000002
【特許請求の範囲】
【請求項１】
電子ドキュメントを印刷した面および該面とは異なる面に、複数のドットを格子位置からそれぞれ微少量だけずらして形成したそれぞれ異なるドットパターンを割り当て、割り当てたドットパターンを格子状に印刷した用紙と、
筆記機能と撮影機能を有し、撮影した前記ドットパターンの配列状態をもとに自身の位置情報を、割り当てられた各ドットパターンが印刷された用紙毎に取得する電子ペンと、
前記位置情報もとに電子ペンで記入された記入内容を取得し、取得した記入内容を前記電子ドキュメントに反映させるドキュメント管理計算機を備えたことを特徴とする電子ペンシステム。
【請求項２】
請求項１記載の電子ペンシステムにおいて、
前記電子ペンで電子ドキュメントを印刷した面とは異なる面に記入された記入内容は、電子ドキュメントを印刷したページの次のページとして新規作成したページに反映させることを特徴とする電子ペンシステム。
【請求項３】
電子ドキュメントを印刷した面および該面とは異なる面に、複数のドットを格子位置からそれぞれ微少量だけずらして形成したそれぞれ異なるドットパターンを割り当て、割り当てたドットパターンを格子状に印刷した用紙と、
筆記機能と撮影機能を有し、撮影した前記ドットパターンの配列状態をもとに自身の位置情報を割り当てられた各ドットパターンが印刷された用紙毎に取得する電子ペンと、
前記電子ドキュメントを印刷部数分複製し、電子ペンで記入された記入内容を複製した各電子ドキュメントに、印刷セット毎に反映させるドキュメント管理計算機を備えたことを特徴とする電子ペンシステム。
【請求項４】
電子ドキュメントを印刷した面および該面とは異なる面に、複数のドットを格子位置からそれぞれ微少量だけずらして形成したそれぞれ異なるドットパターンを割り当て、割り当てたドットパターンを格子状に印刷した用紙と、
筆記機能と撮影機能を有し、撮影した前記ドットパターンの配列状態をもとに自身の位置情報を割り当てられた各ドットパターンが印刷された用紙毎に取得する電子ペンと、
前記電子ドキュメントを使用される電子ペンの数分複製し、電子ペンで記入された記入内容を、複製した各電子ドキュメントに使用される電子ペン毎に反映させるドキュメント管理計算機を備えたことを特徴とする電子ペンシステム。
【請求項５】
請求項１ないし４の何れか１記載の電子ペンシステムにおいて、
電子ペンで記入された記入内容を反映した電子ドキュメントを所定の電子メールアドレス宛に電子メールとして送信することを特徴とする電子ペンシステム。
【請求項６】
請求項１ないし５の何れか１記載の電子ペンシステムにおいて、
電子ペンで記入された記入内容を電子ドキュメントに反映させる方法は、電子ペンを介して入力される属性情報をもとに決定することを特徴とする電子ペンシステム。
【請求項７】
請求項１ないし５の何れか１記載の電子ペンシステムにおいて、
電子ペンで記入された記入内容を電子ドキュメントに反映させるか否かは、電子ペンを介して入力される属性情報をもとに決定することを特徴とする電子ペンシステム。
【請求項８】
請求項６ないし７の何れか１記載の電子ペンシステムにおいて、
前記属性情報は、電子ペン操作時における電子ペンに備えたスイッチの状態情報であることを特徴とする電子ペンシステム。
【請求項９】
請求項６ないし７の何れか１記載の電子ペンシステムにおいて、
前記属性情報は、特定位置にチェックマークを記入する電子ペン操作であることを特徴とする電子ペンシステム。
【請求項１０】
請求項３ないし４の何れか１記載の電子ペンシステムにおいて、
各印刷セット内の全てのページには、各印刷セット毎に異なる共通のセットＩＤを付与して印刷することを特徴とする電子ペンシステム。
【発明の詳細な説明】
【技術分野】
【０００１】
本発明は、電子ペンシステムに係り、特に、電子ペンを操作してドットパターンが印刷された用紙上に記入した内容を、電子ドキュメントに反映させることのできる電子ペンシステムに関する。
【背景技術】
【０００２】
手書きの文字や図形等のデータをデジタル化してパソコンやワープロ等に取り込むことを可能にする電子ペンが開発され、また実用化されている（特許文献１参照）。この技術では，ある特殊な電子ペンと用紙を用い、前記電子ペンを操作して用紙上に書き込んだ文字あるいは図形の軌跡をベクトル化して保存し、送信することができる。
【０００３】
図２は、電子ペンの概要を説明する図である。まず、用紙１０２にはドットパターン２１０が印刷されている。このドットは一定間隔の格子状に印刷されており、その位置は格子点から微妙にずれている。
【０００４】
一方、電子ペン１０１は、内蔵カメラ２０３によってこのドットパターン２１０を読み取ることにより、電子ペン１０１のペン先がドットパターン空間上のどの位置にあるか、その絶対座標を正確に特定することができる。
【０００５】
電子ペン１０１は、カメラ２０３、インクカートリッジ２０４、筆圧センサ２０５、プロセッサ２０６、メモリ２０７、バッテリ２０８、通信装置２０９を内蔵している。カメラ２０３は筆圧センサ２０５が感圧しているときのみドットパターンを読み取り、読み取ったドットパターンをもとにプロセッサ２０６はデジタルペンのペン先の位置情報を取得する。すなわち、用紙１０２に書き込まれた文字や図形の軌跡をデジタル化して取得する。  取得したデジタル軌跡情報は時系列にメモリ２０７に蓄積し、所定のタイミングで通信装置２０９を介して所定の機器に送信される。
【０００６】
また、電子ドキュメントをドットパターンとともに用紙に印刷しておき、この用紙に電子ペンを用いて記入した編集記号および文字を解釈して、前記電子ドキュメントを修正する技術、および前記電子ドキュメントの修正の承諾をユーザに促す表示ソフトウェアが知られている（特許文献２参照）。
【特許文献１】国際公開第  ０１／２６０３３号パンフレット
【特許文献２】国際公開第  ０１／７１４７５号パンフレット
【発明の開示】
【発明が解決しようとする課題】
【０００７】
前記特許文献２に示される技術は、電子ドキュメントをドットパターンとともに用紙に印刷しておき、この用紙に電子ペンを用いて記入することを前提とする技術であり、電子ドキュメントが印刷されていない用紙の裏面への記入、電子ペンを用いて記入した記入内容の電子ドキュメントへの反映方法、あるいは電子ドキュメントの複数部印刷用紙への印刷等、種々の利用形態に適した構成を備えるものではない。
【０００８】
本発明は、これらの問題点に鑑みてなされたもので、電子ペンを操作してドットパターンが印刷された用紙上に記入した内容を、電子ドキュメントに種々の形態で反映させることのできる電子ペンシステムを提供する。
【課題を解決するための手段】
【０００９】
本発明は上記課題を解決するため、次のような手段を採用した。
【００１０】
電子ドキュメントを印刷した面および該面とは異なる面に、複数のドットを格子位置からそれぞれ微少量だけずらして形成したそれぞれ異なるドットパターンを割り当て、割り当てたドットパターンを格子状に印刷した用紙と、筆記機能と撮影機能を有し、撮影した前記ドットパターンの配列状態をもとに自身の位置情報を、割り当てられた各ドットパターンが印刷された用紙毎に取得する電子ペンと、前記位置情報もとに電子ペンで記入された記入内容を取得し、取得した記入内容を前記電子ドキュメントに反映させるドキュメント管理計算機を備えた。
【発明の効果】
【００１１】
本発明は、以上の構成を備えるため、電子ペンを操作してドットパターンが印刷された用紙上に記入した内容を、電子ドキュメントに種々の形態で反映させることのできる電子ペンシステムを提供することができる。
【発明を実施するための最良の形態】
【００１２】
以下、最良の実施形態を添付図面を参照しながら説明する。図１は、本実施形態に係る電子ペンシステムを説明する図である。このシステムによれば、ある電子ドキュメントをドットパターンとともに、あるいはドットパターンのみを用紙に印刷し、印刷されたドットパターンを電子ペンで読み取ることによって、用紙上に手書きした文字や図形をデジタル化し、そのデジタル化データを印刷元の前記電子ドキュメントに反映することができる。
【００１３】
図において、電子ペンシステム１１３は、ネットワーク１２３に、それぞれ、通信装置１０６を介して接続されたパターン管理計算機１０３、通信装置１１０を介して接続されたドキュメント管理計算機１０７、通信装置１１２を介して接続されたプリンタ１１１、通信装置２０９を介して接続された電子ペン１０１、および用紙１０２を備える。ネットワーク１２３は、公衆移動通信網や公衆固定通信網、インターネット、無線あるいは有線のＬＡＮ等によって構成されるネットワーク網である。パターン管理計算機１０３には、入力装置１０４、表示装置１０５が接続されている。入力装置１０４は、パターン管理計算機１０３に対して入力を行うためのキーボードやマウス等である。表示装置１０５は、パターン管理計算機１０３内で処理あるいは保存されている情報を表示するためのディスプレイやプロジェクタ等である。ドキュメント管理計算機１０７には、入力装置１０８、表示装置１０９が接続されている。入力装置１０８は、ドキュメント管理計算機１０７に対して入力を行うためのキーボードやマウス等である。表示装置１０９は、ドキュメント管理計算機１０７内で処理あるいは保存されている情報を表示するためのディスプレイやプロジェクタ等である。プリンタ１１１は、印刷用用紙としてセットされた用紙に対して所定の印刷を行う印刷機ユニットである。
【００１４】
ドキュメント管理計算機１０７は、ＣＰＵ１１９、記憶装置１１８を備える。記憶装置１１８には、ＣＰＵ１１９により順次読み込まれて実行されることによりそれぞれの処理手段としての役割を果たすプログラムである印刷部１２２、ドキュメント更新部１２１、およびドキュメント管理テーブル１２０を備える。
【００１５】
パターン管理計算機１０３は、ＣＰＵ１１５、記憶装置１１４を備える。記憶装置１１４には、ＣＰＵ１１５により順次読み込まれて実行されることによりそれぞれの処理手段としての役割を果たすプログラムであるパターン管理部１１７、パターン管理テーブル１１６を備える。なお、ネットワーク１２３で接続された各構成要素は他の構成要素に含まれてもよい。
【００１６】
図３は、ドキュメント管理テーブル１２０のテーブル構成を説明する図である。ドキュメント管理テーブル１２０は、電子ペンでの記入内容が反映される電子ドキュメントを管理するためのテーブルであり、「セットＩＤ」と「ファイル識別子」を備える。「セットＩＤ」は、印刷部１２２が印刷するセット毎に、セットを識別するために付与する識別子である。また、「ファイル識別子」は、電子ドキュメントを電子ファイル形態でシステム内で一意に識別するための識別子であり、計算機名、ディレクトリおよびファイル名を備える。
【００１７】
図４は、パターン管理テーブル１１６のテーブル構成を説明する図である。パターン管理テーブル１１６は、印刷した用紙のページと、該ページに割り当てられたドットパターンとの対応を管理するテーブルである。図に示すように、「ドットパターンＩＤ」毎に対応する「送信先計算機」、「セットＩＤ」および「ページ番号」が対応付けられている。「ドットパターンＩＤ」は、ドットパターンごとに固有の識別子である。「送信先計算機」は、電子ペンにより記入した記入内容を送信すべき計算機を識別するための識別子である。また、「ページ番号」は、記入内容が反映される電子ドキュメントにおけるページ番号である。
【００１８】
図５は、電子ドキュメント印刷時の処理を説明する図であり、図６は、はこのときの印刷指示画面を説明する図である。まず、電子ドキュメント（電子ペンによる記入前）の印刷処理を説明する。
【００１９】
（１）印刷指示画面表示処理５０１
印刷部１２２は、印刷対象とする電子ドキュメントに対して、図６に示すような印刷指示画面６０１を表示して、ユーザから印刷指示を受ける。
【００２０】
ユーザは、印刷指示画面６０１の「プリンタ名」には、印刷先のプリンタを識別するための名前を指定する。「部数」には、印刷したい部数を指定する。「片面印刷範囲」には、用紙の他方の面には印刷したくないページを指定する。「すべて」を選択すると、電子ドキュメントにおけるすべてのページを指定したものとみなす。「現在のページ」を選択すると、この時点で、電子ドキュメントにおいて表示あるいは操作対象となっているページを指定したものとみなす。「ページ指定」には、電子ドキュメントにおけるページ番号を指定する。
【００２１】
「両面印刷範囲」には、前のページが印刷された用紙の反対面が何も印刷されていない場合に、その印刷されていない面に印刷し、それ以外の場合には別の用紙に印刷するページを指定する。「すべて」を選択すると、電子ドキュメントにおけるすべてのページを指定したものとみなす。「ページ指定」には、電子ドキュメントにおけるページ番号を指定する。「裏面印刷範囲」には、用紙の他方の面には電子ドキュメントの内容は印刷したくないページで、その電子ドキュメントが印刷されない面に電子ペンで記入した内容も電子ドキュメントに反映させたいページを指定する。「すべて」を選択すると、電子ドキュメントにおけるすべてのページを指定したものとみなす。「現在のページ」を選択すると、この時点で、電子ドキュメントにおいて表示あるいは操作対象となっているページを指定したものとみなす。「ページ指定」には、電子ドキュメントにおけるページ番号を指定する。「ＯＫ」ボタンは、印刷したいときに押下し、「キャンセル」ボタンは、印刷したくないときに押下する。
【００２２】
「キャンセル」ボタンが押下されたときは、後述する（２）から（５）の処理は行わない。「裏面印刷範囲」が指定され、かつ、「ＯＫ」ボタンが押下されたときは、（２）の処理へ進む。「裏面印刷範囲」が指定されずに、かつ、「ＯＫ」ボタンが押下されたときは、（３）の処理へ進む。また、「ＯＫ」ボタンが押下されたときは、印刷対象となった電子ドキュメントを、所定のディレクトリに手書き反映用電子ドキュメントとして１つ複製する。
【００２３】
ここでは、「プリンタ名」としてプリンタ１１１の識別子が、「部数」として２が、「片面印刷範囲」として「ページ指定」に１が、「両面印刷範囲」として「ページ指定」に３および４が、「裏面印刷範囲」として「ページ指定」に２が、それぞれ指定された場合を例に説明する。
【００２４】
（２）裏面印刷前処理５０２
印刷部１２２は、前記（１）の処理で、裏面印刷範囲が指定されたとき、手書き反映用電子ドキュメントにおいて、裏面印刷対象ページの次のページとして新規（白紙）ページを作成し、この電子ドキュメントを新たに手書き反映用電子ドキュメントとする。新規作成されたページの次ページ以降のページのページ番号は１ずつ大きくなることになる。これにともない、（１）の処理で指定された印刷範囲は適切に変更される。そして、裏面印刷対象ページと新規作成された次ページとで、後述する（３）の処理における両面印刷範囲とする。
【００２５】
ここでは、２ページ目が裏面印刷範囲として指定されているので、２ページ目と３ページ目の間に新規ページを作成する。したがって、新たな手書き反映用電子ドキュメントでは、３ページ目がこの新規ページとなり、元の手書き反映用電子ドキュメントの３ページ目以降のページのページ番号はそれぞれ１ずつ大きくなる。これにともない、（１）の処理で指定されていた両面印刷範囲が４ページ目および５ページ目に変更される。そして、両面印刷範囲として２ページ目および３ページ目が加えられる。
【００２６】
（３）パターン割り当て前処理５０３
印刷部１２２は、手書き反映用電子ドキュメントを所定のディレクトリに印刷部数分複製し、複製した各電子ドキュメントに対し、異なるセットＩＤを付与する。各電子ドキュメントとセットＩＤとの対応は、ドキュメント管理テーブル１２０に記録する。その後、このドキュメント管理テーブル１２０を参照するプログラムであるドキュメント更新部が実行されるドキュメント管理計算機の識別子を、印刷部数分のセットＩＤ、片面印刷範囲および両面印刷範囲のページ番号とともにパターン管理部１１７に送る。
【００２７】
ここでは、印刷部数が２部と指定されているので、手書き反映用電子ドキュメントを１つ複製する。したがって、所定のディレクトリには、計２つの手書き反映用電子ドキュメント（ファイル識別子をａａａおよびｂｂｂとする）が存在する。そして、これら２つの手書き反映用電子ドキュメントに対するセットＩＤとして、１および２をそれぞれ付与し、そのファイル識別子とセットＩＤとの対応をドキュメント管理テーブル１２０に記録する。その後、このドキュメント管理テーブル１２０を参照するプログラムであるドキュメント更新部１２１が実行されるドキュメント管理計算機１０７の識別子を、セットＩＤの１および２、片面印刷範囲および両面印刷範囲のページ番号である１、２、３、４、５とともにパターン管理部１１７に送る。
【００２８】
（４）パターン割り当て処理５０４
パターン管理部１１７は、印刷部１２２から送られてきたドキュメント管理計算機の識別子、セットＩＤ、ページ番号を受け取る。受け取ったセットＩＤごと、ページ番号ごとに異なるドットパターンＩＤを割り当て、パターン管理テーブル１１６に記録する。このとき記録した各レコードの送信先計算機としては、受け取ったドキュメント管理計算機の識別子を記録する。その後、割り当てたドットパターンＩＤを、対応するセットＩＤ、ページ番号とともに印刷部１２２に送る。
【００２９】
ここでは、セットＩＤが１でページ番号が１、２、３、４、５のそれぞれのペアに対してドットパターンＩＤのＡ、Ｂ、Ｃ、Ｄ、Ｅを、セットＩＤが２でページ番号が１、２、３、４、５のそれぞれのペアに対してドットパターンＩＤのＦ、Ｇ、Ｈ、Ｉ、Ｊを、割り当て、パターン管理テーブル１１６に記録する。このときの送信先計算機はドキュメント管理計算機１０７である。その後、セットＩＤが１でページ番号が１、２、３、４、５のそれぞれのペアに対するドットパターンＩＤとしてＡ、Ｂ、Ｃ、Ｄ、Ｅを、セットＩＤが２でページ番号が１、２、３、４、５のそれぞれのペアに対するドットパターンＩＤとしてＦ、Ｇ、Ｈ、Ｉ、Ｊを、印刷部１２２に送る。
【００３０】
（５）印刷処理５０５
印刷部１２２は、手書き反映用電子ドキュメントを、印刷部数、片面印刷範囲および両面印刷範囲にしたがって、プリンタ１１１で用紙に印刷する。このとき、該当する印刷部ごと（すなわちセットＩＤごと）、ページ番号ごとに、パターン管理部１１７から受け取ったドットパターンＩＤからドットパターンを生成し、このドットパターンも電子ドキュメントの内容とともに印刷する。また、印刷部内のすべてのページには同じ識別コードを、印刷部ごとには異なる識別コードを印刷する。この識別コードとしてセットＩＤを使ってもよい。これにより、印刷した用紙が１枚１枚シャッフルされたとしても、ユーザはこの識別コードを見ただけで、反映先が同じ電子ドキュメントに対する用紙をまとめることができる。
【００３１】
ここでは、計６枚の用紙に印刷される。そのうちの１枚（第１枚目）は、片面だけに手書き反映用電子ドキュメントの１ページ目の内容と、ドットパターンＩＤがＡのドットパターンおよびセットＩＤである「１」が印刷された用紙である。別の１枚（第２枚目）は、一方の面に手書き反映用電子ドキュメントの２ページ目の内容と、ドットパターンＩＤがＢのドットパターンおよびセットＩＤである「１」が印刷され、また反対の面に手書き反映用電子ドキュメントの３ページ目の内容（白紙なので何もない）と、ドットパターンＩＤがＣのドットパターンおよびセットＩＤである「１」が印刷された用紙である。さらに別の１枚（第３枚目）は、一方の面に手書き反映用電子ドキュメントの４ページ目の内容と、ドットパターンＩＤがＤのドットパターンおよびセットＩＤである「１」が印刷され、反対の面に手書き反映用電子ドキュメントの５ページ目の内容と、ドットパターンＩＤがＥのドットパターンおよびセットＩＤである「１」が印刷された用紙である。さらに別の１枚（第４枚目）は、片面だけに手書き反映用電子ドキュメントの１ページ目の内容と、ドットパターンＩＤがＦのドットパターンおよびセットＩＤである「２」が印刷された用紙である。さらに別の１枚（第５枚目）は、一方の面に手書き反映用電子ドキュメントの２ページ目の内容と、ドットパターンＩＤがＧのドットパターンおよびセットＩＤである「２」が印刷され、反対の面に手書き反映用電子ドキュメントの３ページ目の内容（白紙なので何もない）と、ドットパターンＩＤがＨのドットパターンおよびセットＩＤである「２」が印刷された用紙である。さらに別の１枚（第６枚目）は、一方の面に手書き反映用電子ドキュメントの４ページ目の内容と、ドットパターンＩＤがＩのドットパターンおよびセットＩＤである「２」が印刷され、反対の面に手書き反映用電子ドキュメントの５ページ目の内容と、ドットパターンＩＤがＪのドットパターンおよびにセットＩＤである「２」が印刷された用紙である。
【００３２】
次に、電子ペンによる記入内容の電子ドキュメントへの反映処理を説明する。
【００３３】
（６）パターン参照処理５０６
パターン管理部１１７は、電子ペン使用時にも処理を行う。電子ペンは、ドットパターンが印刷された用紙に記入した記入内容を送信する際に、その記入内容の送信先を問い合わせる。問い合わせ先の計算機の識別子はあらかじめ電子ペンに登録されている。ここでは、問い合わせ先の計算機はパターン管理計算機１０３であるとする。電子ペンは、記入した用紙に印刷されたドットパターンのドットパターンＩＤを取得し、取得したドットパターンＩＤをパターン管理計算機１０３に送る。パターン管理計算機１０３で実行されるパターン管理部１１７は、電子ペンから送られてきたドットパターンＩＤをもとにパターン管理テーブル１１６を参照し、送信先計算機、セットＩＤ、ページ番号を取得して取得したデータを前記電子ペンに返す。電子ペンは、記入内容にパターン管理部１１７から受け取ったセットＩＤとページ番号を付加して送信先計算機に送信する。
【００３４】
ここでは、ドットパターンＩＤがＨのドットパターンが印刷された用紙に電子ペンで記入した場合を例とする。電子ペンはドットパターンＩＤとしてＨをパターン管理計算機１０３に送る。パターン管理部１１７は、パターン管理テーブル１１６を参照して、ドットパターンＩＤのＨに対応する送信先計算機としてドキュメント管理計算機１０７を、セットＩＤとして２を、ページ番号として３をそれぞれ前記電子ペンに返す。電子ペンは、ドットパターンＩＤがＨのドットパターンが印刷された用紙に記入された記入内容に、受信した内容であるセットＩＤ２およびページ番号３を付加して、送信先計算機であるドキュメント管理計算機１０７に送信する。
【００３５】
（７）記入内容反映処理５０７
ドキュメント管理計算機１０７で実行されるプログラムであるドキュメント更新部１２１は、電子ペンから送信されてきた記入内容、セットＩＤ、およびページ番号を受け取る。次いで、ドキュメント管理テーブル１２０を参照し、受け取ったセットＩＤに対応する手書き反映用電子ドキュメントの受け取ったページ番号のページに、受け取った記入内容を反映する。
【００３６】
ここでは、ドキュメント更新部１２１は、ドキュメント管理テーブル１２０を参照して、電子ペンから受け取ったセットＩＤである２に対応するファイル識別子ｂｂｂの手書き反映用電子ドキュメントの電子ペンから受け取ったページ番号である３ページ目に、電子ペンによる記入内容であるデジタル軌跡情報を時系列に描画する。
【００３７】
以上説明したように、ある電子ドキュメントをドットパターンとともに用紙に印刷しておき、電子ペンを用いて前記用紙上に文字や図形を手書きする。この手書きを行っているとき、電子ペンを用いて前記用紙上に印刷されたドットパターンを読み取ることによって、用紙上に手書きした文字や図形をデジタル化する。そして、このデジタル化データを印刷元の電子ドキュメントに反映することができる。
【００３８】
なお、電子ペンから送信されてくる記入内容には、電子ペンごとに固有の識別子を付与しておくとどの電子ペンで記入した内容かを判別することができる。この場合には、使用された電子ペンの数だけ電子ドキュメントを複製し、電子ペンごとに異なる電子ドキュメントに記入内容を反映することができる。
【００３９】
裏面印刷範囲が指定されたときの裏面記入内容の反映方法としては、裏面印刷対象ページの次のページに反映させる方法以外に、例えば、印刷対象の電子ドキュメントの最終ページあるいは最初ページに反映させる方法、裏面印刷対象ページへのコメント情報として付加する方法、あるいは、裏面印刷対象ページが印刷された用紙の表面の記入内容とは別の色で裏面印刷対象ページに反映させる方法が考えられる。なお、印刷対象の電子ドキュメントの最終ページあるいは最初ページへの反映の場合は、前記（２）の処理で、手書き反映用電子ドキュメントの最終ページあるいは最初ページに新規ページを作成することが必要である。
【００４０】
ドキュメント更新部１２１は、電子ペンによる記入内容を電子ドキュメントに反映するか否かを決定することができる。例えば、電子ペンはスイッチを備えており、記入中のスイッチの状態を電子ペンから送信する。この送信されてきた状態信号により、反映するか否かを決めることができる。また、用紙上の所定の位置への記入（チェックボックスへのチェックの有無）があるか否かにより反映するか否かを決めることができる。また、記入内容を囲む線の記入があるか否かで、その記入内容を反映するか否かを決めることができる。
【００４１】
例えば、電子ペンによる記入内容を反映させたいときは、ユーザは電子ペンのスイッチを押しながら記入する。この場合、スイッチは一度操作を行えば状態が保持されるものでもよい。反映モードか非反映モードかの表示が電子ペンにあってもよい。あるいは、用紙上の所定の位置に反映開始と反映終了のチェックボックスを用意して、ユーザが反映開始のチェックボックスに記入してから、反映終了のチェックボックスに記入するまでの記入内容を反映するようにしてもよい。また、上記の反映、非反映の判断条件は、記入内容の反映方法の指示にも利用することができる。例えば、電子ファイルへの反映か、ディスプレイへの表示か、あるいはその双方に反映させるかを指示することができる。
【００４２】
ディスプレイへの表示の際は記入された用紙のページに対応する電子ドキュメントのページの内容と共に表示することができる。
【００４３】
このようにして、電子ペンによる記入内容が反映された電子ドキュメントは、印刷時のユーザ認証を利用して、印刷者しかアクセスできないようにしてもよい。また、電子ペンの識別子と対応づけられた電子ペン所有者情報を利用して、記入者（電子ペン所有者）のみアクセス可能にしてもよい。また、電子ペン所有者情報をもとに所有者の電子メールアドレスに電子メールとして送信するようにしてもよい。また、使用した電子ペンに、記入内容が反映された電子ドキュメントを送信し、その電子ドキュメントを電子ペンとともに持ち運び、その後、その電子ドキュメントを電子ペンから適当な計算機に移すことができるようにしてもよい。
【００４４】
前記（３）の処理において、印刷部数が２以上に指定されている場合においても手書き反映用電子ドキュメントを印刷部数分複製することなく、前記（５）の処理において指定部数印刷し、前記（７）の処理において、すべての印刷部数分の用紙への記入内容を１つの手書き反映用電子ドキュメントに反映させるようにしてもよい。このとき、セットＩＤは、印刷部ごとに異なるようにしてもよいし、すべて同一にしてもよい。異なるセットＩＤにする場合は、ドキュメント管理テーブルにおいて、ファイル識別子をすべて同一の手書き反映用電子ドキュメントのものにすればよい。同一のセットＩＤにする場合は、前記（４）の処理において同一セットＩＤでも印刷部数分ドットパターンＩＤを割り当てるようにすればよい。同一のセットＩＤにする場合は、同一ページ番号であれば、すべての印刷部数分の用紙に同一のドットパターンを印刷するようにしてもよい。
【００４５】
なお、前記（７）の処理において、手書き反映用電子ドキュメントは、電子ペンによる記入内容とは分けて保存しておき、必要に応じて、記入内容を反映するようにしてもよい。
【００４６】
このように本実施形態によれば、裏面への記入内容を電子ドキュメントに反映させることができる。また、印刷部ごとの用紙および電子ドキュメントの管理を容易に行うことができる。また、記入内容の表示前に記入内容の電子ドキュメントへの反映、非反映を選択することができる。
【図面の簡単な説明】
【００４７】
【図１】本実施形態に係る電子ペンシステムを説明する図である。
【図２】電子ペンの概要を説明する図である。
【図３】ドキュメント管理テーブル１２０のテーブル構成を説明する図である。
【図４】パターン管理テーブル１１６のテーブル構成を説明する図である。
【図５】電子ドキュメント印刷時の処理を説明する図である。
【図６】印刷指示画面を説明する図である。
【符号の説明】
【００４８】
１０１  電子ペン
１０２  用紙
１０３  パターン管理計算機
１０４，１０８  入力装置
１０５，１０９  表示装置
１０６，１１０，１１２  通信装置
１０７  ドキュメント管理計算機
１１１  プリンタ
１１３  電子ペンシステム
１１４，１１８  記憶装置
１１５，１１９  ＣＰＵ
１１６  パターン管理テーブル
１１７  パターン管理部
１２０  ドキュメント管理テーブル
１２１  ドキュメント更新部
１２２  印刷部
１２３  ネットワーク
２０３  カメラ
２０４  インクカートリッジ
２０５  筆圧センサ
２０６  プロセッサ
２０７  メモリ
２０８  バッテリ
２０９  通信装置
２１０  ドットパターン
６０１  印刷指示画面
【図１】
2006127396.tif 000003
【図２】
2006127396.tif 000004
【図３】
2006127396.tif 000005
【図４】
2006127396.tif 000006
【図５】
2006127396.tif 000007
【図６】
2006127396.tif 000008